(57)【特許請求の範囲】
【請求項１】
レーダーベースの脅威に対してプラットホームを保護するためのデコイであって、前記デコイは、
発射管と、
プラットホーム（２）上の前記発射管から排出可能な排出可能ユニット（１）と
を備え、
前記排出可能ユニット（１）は、潜在的な脅威（６）のパラメータについての所定の情報と前記潜在的な脅威（６）に対して用いられるべき妨害波形（３）とを記憶するためのバッテリーバックアップされたランダムアクセスメモリ手段（１２）を備え、
前記排出可能ユニット（１）は、更に、
ＲＦ信号（３）を受信しおよび送信するためのアンテナ（１１）と；
受信されたＲＦ信号（５）を処理するための信号処理手段（１５）と；
前記処理された信号（５）と前記所定の情報とを比較し、脅威（６）の存在を決定するための比較手段と、
を備え、
ここにおいて、前記信号処理手段（１５）は、前記所定の情報に基づく、決定された前記脅威（６）に対する前記妨害波形の決定に応じて、前記受信された信号（５）が妨害され、前記脅威が前記プラットホーム（２）から離れて誘導されるように、前記アンテナ（１１）を介して、変更されたＲＦ信号（３）を送信し、
前記所定の情報は、前記発射管における不揮発性メモリ手段にあり、
前記所定の情報は、前記発射管からの前記排出可能ユニット（１）の排出の直前に、前記排出可能ユニット（１）における前記バッテリーバックアップされたランダムアクセスメモリ手段（１２）にアップロードされる、
デコイ。
【請求項２】
前記所定の情報は、前記排出可能ユニット（１）からの電力の排除で前記ランダムアクセスメモリ手段（１２）から削除される、請求項１に記載のデコイ。
【請求項３】
前記排出可能ユニット（１）は、更に、前記発射管から排出の後の任意の所与の時間に、複数の方向からＲＦ信号を受信することができるアンテナを備える、請求項１または請求項２に記載のデコイ。
【請求項４】
前記排出可能ユニット（１）は、更に、トラックを維持し、前記脅威（６）のアップレンジの妨害を可能にするためのパルストラッカーを備える、請求項１乃至請求項３のいずれか一項に記載のデコイ。
【請求項５】
前記バッテリーバックアップされたランダムアクセスメモリ手段（１２）は、デジタルＲＦメモリ（ＤＲＦＭ）を備える、請求項１乃至請求項４のいずれか一項に記載のデコイ。
【請求項６】
前記ＤＲＦＭは、第３ナイキストサンプリングおよび信号再生を組み込み、それによって、周波数変換が、２重から単一ステージのダウンコンバージョンスキームに簡略化されることを可能にする、請求項５に記載のデコイ。
【請求項７】
前記信号処理手段（１５）は、脅威（５、６）を検出することができる優先度ベースのサーチアルゴリズムを備える、請求項１乃至請求項６のいずれか一項に記載のデコイ。
【請求項８】
前記信号処理手段（１５）は、前記プラットホーム（２）と前記排出可能ユニット（１）との間の任意の速度差を自動的に補償する、請求項１乃至請求項７のいずれか一項に記載のデコイ。
【請求項９】
前記信号処理手段（１５）は、同調可能なオッシレータと複数のフィルタを備え、それによって広帯域の動作を可能にする、請求項１乃至請求項８のいずれか一項に記載のデコイ。
【請求項１０】
前記信号処理手段（１５）は、一連の切り替えられるアテネータを備え、それによって、大きなトータルダイナミックレンジを保証する、請求項１乃至請求項９のいずれか一項に記載のデコイ。
【請求項１１】
形状をもったアンテナ放射パターンが利用され、それによって、送信される前記変更されたＲＦ信号（３）の有効性を最大にする、請求項１乃至請求項１０のいずれか一項に記載のデコイ。
【請求項１２】
前記信号処理手段（１５）は、ミッションの前の始めから終わりまでのテストを可能にするためにビルトインテスト（ＢＩＴ）回路を備える、請求項１乃至請求項１１のいずれか一項に記載のデコイ。
【請求項１３】
前記排出可能ユニット（１）は、ノーズ質量と、プラットホームからの排出の後に展開可能な、起立可能なフィン構造（９）を備え、
前記フィン構造（９）はロック機構を有し、それによって、前記脅威の位置（５、６）に関するデコイの正しい位置づけを保証する、請求項１乃至請求項１２のいずれか一項に記載のデコイ。
【請求項１４】
前記排出可能ユニット（１）は、ロック機構を含む３つのばねで負荷されたフィン構造（３）を備える、請求項１３に記載のデコイ。
【請求項１５】
前記排出可能ユニット（１）は、独立の電源（８）を介して電力供給される、請求項１乃至請求項１４のいずれか一項記載のデコイ。
【請求項１６】
前記独立の電源は、少なくとも１つのサーマルバッテリー（８）を備える、請求項１５に記載のデコイ。
【請求項１７】
前記プラットホームは、固定または回転翼の航空機（２）である、請求項１乃至請求項１６のいずれか一項に記載のデコイ。
【発明の詳細な説明】
【技術分野】
【０００１】
本発明は、デコイ（decoy）に関する。より具体的には、排他的ではないが、本発明は、レーダーベースの脅威に対して航空機プラットホームを保護するためのデコイに関する。
【背景技術】
【０００２】
現代の軍用機は、地対空および空対空の無線周波数（ＲＦ）誘導ミサイルの主要な標的である。高精度なＲＦ追跡システムをもった移動地対空ミサイルは、ポップアップモード（pop-up mode）で用いられるとき恐るべき脅威を与え、多くの旧来のシステムは、機能性を著しく向上している現代の電子機器を用いて装置を改造されている。特に、現代のシステムは、対抗することが難しく、電子防御策（ＥＰＭ）の配列をそれらの配置のところで有している。オフボードの妨害技術が、ミサイルをプラットホームから遠ざける方向に誘惑するロバストな電子対抗手段（ＥＣＭ）の機能を与える。
【０００３】
使い捨て可能な能動式デコイ（extendable active decoy：ＥＡＤ）が、高速のジェットプラットホームのための有効な保護を与え得る。ＥＡＤの原理は、誘惑デバイスとして用いられることができることである。ＥＡＤは、えじきとなるレーダーを更に惑わすために、マヌーバ（manoeuvre）やチャフ（chaff）の展開と組み合わせられ得る。それらは、実質的に全ての軍用機に装着されることができる使い捨て可能なチャフ／フレアカートリッジで供給され得、それによってプラットホームの統合コストを最小にできる。
【０００４】
最初に動作したＥＡＤは、米国によって開発され、１９７８年に最初に生産されたプライムド・オッシレータ・エクスペンダブル・トランスポンダー（Primed Oscillator Expendable Transponder：ＰＯＥＴ）であった。このデバイスは、１９８０年代の半ばから後半に開発されたジェネリック・エクスペンダブル・デコイ（Generic Expendable Decoy：ＧＥＮ−Ｘ）になるように進化した。その時点で利用可能な技術により、これらのデバイスは限られた能力を有した。
【０００５】
１９８０年代の後半の間に、トウド・レーダー・デコイ（Towed Rader Decoy：ＴＲＤ）が開発された。これらは、航空機にオンボードな大規模で複合のデジタルＲＦメモリ（Digital RF Memory：ＤＲＦＭ）ベースのジャマ―（jammer）によって妨害波形が生成されるため、より高い妨害力を与え、非常に大きな能力を有している。妨害信号は、牽引ケーブルにおける光ファイバーを介してデコイに供給される。これは、過去２０年間、好ましい能動的なオフボードＥＣＭソリューションであった。
【０００６】
より最近では、米国特許第８，０４９，６５６号に開示されたシステムが提案されている。デコイは、それが、範囲内のオブスキュレーション波形とこの対応のデバイスに必須なドップラーとを生成することができることを保証するために、ドップラー補償またはパルストラッキング／プレディクションを提供しない。更に、記載されているデコイは、消去および自己破壊によって容易に克服することができないセキュリティリスクを示す、分配されたペイロードに個別にセンシティブなデータを記憶しない。
【発明の概要】
【０００７】
本発明は、これらのデバイスの限界を克服することを目的とする。
【０００８】
本発明に従って、レーダーベースの脅威に対してプラットホームを保護するためのデコイが提供され、
デコイは、プラットホーム上の発射管から排出可能な排出可能ユニットを備え、
排出可能ユニットは、潜在的な脅威に関してロードされる所定の情報を有するメモリ手段を備え、
ユニットは、更に、
ＲＦ信号を受信し、送信するためのアンテナと、
受信されたＲＦ信号を処理するための信号処理手段と、
処理された信号を前記所定の情報と比較するための比較手段と、
を備え、
脅威を決定することにおける信号処理手段は、受信された信号が妨害され、脅威がプラットホームから離れるように誘導されるよう、アンテナを介して、変更されたＲＦ信号を送信する。
【０００９】
ここに記載されたアプローチは、技術の進歩と共に、使い捨て可能な能動式デコイの新しい世代を有望視させる０．５ｌの容積内に収まる、複合のデジタルＲＦメモリ（ＤＲＦＭ）ベースのジャマ―を可能にした。
【００１０】
発明は、ここで、添付の概略図面を参照して説明される。
【図面の簡単な説明】
【００１１】
【図１】図１は、本発明の１つの形態に従った、プラットホームから展開され、来るべきミサイルの脅威を妨害するＥＡＤを示す概略図である。
【図２】図２は、本発明の１つの形態に従ったＥＡＤの概略ブロック図である。
【図３】図３は、本発明の１つの形態に従ったデコイの概略３次元分解図である
【詳細な説明】
【００１２】
本発明の１つの形態に従ったＲＦデコイは、排出可能ユニット１と、そこからユニット１が排出され得る発射管（図示されず）を備える。排出可能ユニット１は、受信器および送信機１１、デジタルＲＦメモリ（ＤＲＦＭ）１２、電源８、および、１つまたは複数の無指向ＥＷアンテナを含むスタンドアロンシステムを備え、それらの全ては、保護されるプラットホーム２自身に搭載されている機器とは独立に動作する。以下に記載の例では、保護されるべきプラットホームは航空機２である。しかし、任意の好適なプラットホームがこの方法で保護され得ることが理解される。
【００１３】
使用において、発射管は、航空機２に装着される前に、プリ・フライト・メッセージ（Pre Flight Message：ＰＦＭ）でプログラムされる。ＰＦＭは、それが遭遇する脅威のシステム５のパラメータ上の情報とこれらの可能性のある脅威５に対して用いられるべき妨害波形３とを含む。動作中、脅威は、まず、搭乗員に警告を発するオンボードのレーダー・ワーニング・レシーバー（Rader Warning Receiver)によって検出される。驚異の存在と挙動が検出され、確認されると、搭乗員は、デコイ動作のための脅威６に対する最も良いアスペクトを与えるよう航空機を操作する。発射が指令されると、発射の直前、ＥＡＤ１は、それ自身の内部バッテリー８を起動し、発射管の中でＰＦＭが格納されている不揮発性メモリ（non-volatile memory：ＮＶＭ）から、排出可能ユニット１のオンボードの揮発性、ランダムアクセスメモリ（random access memory：ＲＡＭ）に、ＰＦＭをロードする。ＰＦＭは、排出可能ユニット１が何らかのセンシティブな情報を永久的には保持しないことを確実にするために、航空機の中に残る発射管の中に保持される。従って、発射管の中のセキュリティの課せられないセンシティブなデータは、航空機２とともに基地に戻る。デコイのなかのＲＡＭに保持された一時的なコピーは、バッテリーがなくなったときに失われる。排出可能ユニット１におけるＲＡＭに記憶されたデータは、予防処置として、バッテリーパワーが枯渇しつつある前に、自動的に削除され得る。
【００１４】
そして、排出可能ユニット１は発射され、脅威をおびき寄せるために正しい波形３を生成する。排出可能ユニット１が航空機から離れて落下すると、脅威システム５は追従し、それによって航空機２は保護される。
【００１５】
排出に続いて、ユニット１は、ＰＦＭからロードされたデータによって制御されるサーチストラテジーを実行する。サーチストラテジーは、効率的な方法で脅威システム５をスキャンするために優先順位を用いる。それがスキャンすると、それは、受信された信号５を測定し、それらが脅威システム６の信号と一致するかどうかを決める。一致が識別されたとき、適切な妨害波形３がＰＦＭから選択される。典型的なアプローチは、時間（レンジ）と周波数の両方で航空機２からのスキンエコー（skin echo）に一致する、最大電力でのオブスキュレーション波形３を生成することである。利用された波形３は、可能な脅威６に最も現実的なサイン３を与えるために、航空機２とデコイの動きを補う。
【００１６】
排出可能ユニットは、５つの主たるサブアセンブリを備える：
・統合された送信・受信（ＴＲ）アセンブリ１１
・ＤＳＰとプロセッサを有したシングルボードＤＲＦＭ１２
・シングルボード周波数変換１３
・電力および初期化サブシステム８
・飛行体とシャーシ９、１０。
【００１７】
飛行体９とシャーシ１０について、空中のＲＦデコイは、火工要素によってプラットホームから安全に排出されることを可能にするために、標準のチャフおよびフレアデコイの機械的な外観を有する。構造またはエアロダイナミックな変更を航空機２またはプラットホームに要求しないように、および、動作展開プロセスが複雑でない、即ち、チャフまたはフレアの排出のプロセスと同一であるように、それは、全ての既存の産業用ディスペンサと互換性がある。
【００１８】
いくつかの新興の機能は、体積を最小にするために利用される。ＴＲアセンブリ１１は、ハイパワーアンプ（High Power Amplifier：ＨＰＡ）と低雑音アンプ（Low Noise Amplifier：ＬＮＡ）と送受信切換構成（Transmit Receive switching arrangement）とを含むモノリシックマイクロウェーブ集積回路（Monolithic Microwave Integrated Circuits：ＭＭＩＣ）を使用する。第３ナイキストサンプリングおよび信号再生が、ＤＲＦＭサブアセンブリに実装される。この第３ナイキストサンプリングおよび信号再生の使用は、周波数変換が、単一ステージのダウンコンバージョンスキームに単純化されることを可能にする。更に、フィールドプログラマブルゲートアレイ（field programmable gate array：ＦＰＧＡ）技術の実装と使用は、非常に高いゲートカウントをもった小さなデバイスのために提供される。これは、複合のデジタル信号処理（Digital Signal Processing：ＤＳＰ）が、非常に能力のある処理コアと統合されることを可能にする。ソフトウェアとＤＳＰの両方にとってのシングルチップソリューションは、ＤＲＦＭ１２のサイズが最小化されることを可能にした。
【００１９】
ＴＲアセンブリ１１は、アンテナと、複数のＴＲ ＭＭＩＣを有する統合化されたＴＲモジュールとを備える。複数のデバイスは、マルチフィードアンテナを駆動し、送信電力を達成するために用いられる。ＭＭＩＣは、ＨＰＡとＬＮＡと送信／受信切り替え回路とを含む。用いられたカップリングスキームは、高速スイッチング時間と低損失を維持しつつ、広帯域の、高電力切換を提供する。
【００２０】
アンテナは、ほぼ球状のカバレージを与えるよう設計され、脅威システムのアンテナへの良好な整合を与えるためにポラライザを組み込むことができる。本発明は、偽の信号の有効性を最大限にするために、アンテナのラジエーションパターンを形成する代替のアンテナデザインを組み込むことができる。
【００２１】
ＤＲＦＭ  １２は、周波数、パルス幅、パルス繰り返し周期（Pulse Repetition Interval：ＰＲＩ）等の信号のパラメータを得るために、デジタル化された信号を処理する。
測定されたパラメータは、脅威信号５を特定するために用いられる。脅威信号５は、受信／送信タイミング、周波数、および利得が正しく制御されることを確実にするために、継続的にモニタされる。ＤＲＦＭ１２は、デジタル化されたレーダー波形を記憶し、そして、修正された特性をもった信号を再生する。妨害信号３は、ＰＦＭデータに基づいてデジタルで生成される。
【００２２】
ＤＲＦＭ１２は、単一のアナログ−デジタル（Analogue to Digital：ＡＤＣ）およびデジタル−アナログ（Digital to Analogue：ＤＡＣ）コンバータを用いる。単一の信号処理デバイスは、パラメータ測定、信号記憶、信号修正回路を含んでおり、サーチストラテジーを実行し妨害波形３を選択するプロセッサを収容する。本質的に、優先度ベースのサーチアルゴリズムが実行され、脅威の検出が可能となる。
【００２３】
周波数コンバータ１３は、実世界の信号を、ＤＲＦＭ１２によって必要とされる中間周波数に変換する。それは、ＤＲＦＭの制御のもとでの帯域幅制限と振幅制御に関して信号のコンディショニングを提供する。本設計は、設計のサイズを減らすために印刷配線板の中に埋め込まれるサスペンデッド・ストリップライン・フィルタ（suspended strip line filter）を用いる。
【００２４】
サーマルバッテリー８は、排出ユニット１の電源である。これらがより高いエネルギー密度を与え、より軽く、パッケージ化が容易であれば、様々なリチウム化成物が可能である。補助基板が、他の電圧レールを生成するためにバッテリーをレギュレートする。補助基板は、また、ＰＦＭロードおよびスタートアップシーケンスを扱い、インターフェイスするマイクロコントローラを有する。
【００２５】
排出の後、排出ユニット１がそれ自身を正しく位置決めすることが重要である。これは、アンテナが脅威を指し続けていること、および、自動妨害技術補正が正しく働いていることを保証することである。従って、設計は、重心と圧力中心の正しい位置決めを含む、基本的なエアロダイナミック要件に合致しなければならない。ロック機構をもった起立可能なフィン構造９とアンテナをもったノーズ質量とがこれを達成する。好ましくは、ロック機構を含む、３つのばね負荷されたフィンがある。機械設計は、機械構造のなくてはならない部品として、アンテナとバッテリー８を組み込む。
【００２６】
排出ユニット１は、トラックを維持し、アップレンジの妨害を可能にするために、パルストラッカーを含むことが理解される。さらに、ユニット１は、航空機−デコイの速度の相違を、ドップラー効果を用いて自動的に補償し得る。本発明の他の利点は、秘密のデータが損なわれ得ないことを確実にするために、発射管におけるＰＦＭデータの保持と；  同調可能なオッシレータと複数のフィルタの使用を通じた広帯域動作（１オクターブより大きい）と；  ミッションの前に始めから終わりでのテストを可能にするためのビルトインテスト（Built In Test：ＢＩＴ）の使用と；を含む。
【００２７】
本発明の排出ユニット１は、欺瞞信号の有効性を最大にするために、形状をもったアンテナ放射パターンを組み込んだ高電力デバイスである。更に、ＥＡＤは、ＰＦＭと航空機データとがロードされることを可能にするために排出前にパワーアップされ得、または、排出の後にパワーアップされ、短距離の無線ロードリンクを介してロードされてもよい。
【００２８】
本発明において、全ての変調がデジタルで適用され、大きなトータルダイナミックレンジが、切り替えられるアテネ―タ（switched attenuator）の使用を介して達成される。
【００２９】
上述のように、上述の制限を克服しながら、それらに対する保護を提供する空中のＲＦデコイを提供する。デコイは、オフボードで、それが保護するように設計されている航空機２等の軍用プラットホームとは独立に、動作が可能である。この方法で、デコイは、敵が発射したミサイルを、航空機２から十分に大きく離れた距離で爆発させることができ、それによって、航空機２と搭乗員を保護する。
【００３０】
空中ＲＦデコイは、任意の方向から来る複数の脅威６を扱い得、従って、航空機２の保護への利用可能性がある。しかし、そのような保護の必要性のある軍用プラットホームはこの方法で保護され得る。
【００３１】
デコイは、可能性のある驚異の全ての技術的詳細の知識を必要とせず、所与の時間において、所与の位置で脅威となる可能性のあるもののみが、使用前にデコイにアップロードされてもよい。従って、これは、頑強なＥＣＭソリューションである。
【００３２】
本発明の空中のＲＦデコイは、能動的または半能動的な空対空（ＡＡ）および地対空（ＳＡＭ）ミサイルを含む複数のレーダーベースの脅威に対する保護をもった航空プラットホームを提供することを目的とされた使い捨て可能の、スタンドアロンの、オフボードの電子対抗手段（Electronic Counter-Measure：ＥＣＭ）システムである。しかし、デコイは、必要とみなされる他の潜在的な脅威に対する保護に用いられることが理解される。
本願出願時の特許請求の範囲に記載された発明を以下に付記する。
［Ｃ１］
レーダーベースの脅威に対してプラットホームを保護するためのデコイであって、
前記デコイは、プラットホーム（２）上の発射管から排出可能な排出可能ユニット（１）を備え、
前記排出可能ユニット（１）は、潜在的な脅威（６）に関するロードされた所定の情報を有するメモリ手段（１２）を備え、
前記排出可能ユニット（１）は、更に、
ＲＦ信号（３）を受信しおよび送信するためのアンテナ（１１）と；
受信されたＲＦ信号を処理するための信号処理手段（１５）と；
前記処理された信号と前記所定の情報とを比較し、脅威（６）の存在を決定するための比較手段と、
を備え、
ここにおいて、脅威（６）を決定することにおける前記信号処理手段（１５）は、前記受信された信号（５）が妨害され、前記脅威が前記プラットホーム（２）から離れて誘導されるように、前記アンテナ（１１）を介して、変更されたＲＦ信号（３）を送信する、デコイ。
［Ｃ２］
前記所定の情報は発射管における不揮発性メモリ手段にあり、
前記所定の情報は、前記発射管からの前記排出可能ユニット（１）の排出の直前に、前記排出可能ユニット（１）におけるランダムアクセスメモリにアップロードされる、
［Ｃ１］に記載のデコイ。
［Ｃ３］
前記所定の情報は、前記排出可能ユニットからの電力の排除で前記ランダムアクセスメモリから削除される、［Ｃ２］に記載のデコイ。
［Ｃ４］
前記排出可能ユニット（１）は、更に、前記プラットホームから排出の後の任意の所与の時間に、複数の方向からＲＦ信号を受信することができるアンテナを備える、［Ｃ１］乃至［Ｃ３］のいずれか一項に記載のデコイ。
［Ｃ５］
前記排出可能ユニット（１）は、更に、トラックを維持し、前記脅威（６）のアップレンジの妨害を可能にするためのパルストラッカーを備える、［Ｃ１］乃至［Ｃ４］のいずれか一項に記載のデコイ。
［Ｃ６］
前記メモリ手段は、デジタルＲＦメモリ（ＤＲＦＭ）（１２）を備える、［Ｃ１］乃至［Ｃ５］のいずれか一項に記載のデコイ。
［Ｃ７］
前記ＤＲＦＭ（１２）は、第３ナイキストサンプリングおよび信号再生を組み込み、それによって、周波数変換が、２重から単一ステージのダウンコンバージョンスキームに簡略化されることを可能にする、［Ｃ６］に記載のデコイ。
［Ｃ８］
前記信号処理手段（１５）は、脅威（５、６）を検出することができる優先度ベースのサーチアルゴリズムを備える、［Ｃ１］乃至［Ｃ７］のいずれか一項に記載のデコイ。
［Ｃ９］
前記信号処理手段（１５）は、航空機（２）と前記排出可能ユニット（１）との間の任意の速度差を自動的に補償する、［Ｃ１］乃至［Ｃ８］のいずれか一項に記載のデコイ。
［Ｃ１０］
前記信号処理手段（１５）は、同調可能なオッシレータと複数のフィルタを備え、それによって広帯域の動作を可能にする、［Ｃ１］乃至［Ｃ９］のいずれか一項に記載のデコイ。
［Ｃ１１］
前記信号処理手段（１５）は、一連の切り替えられるアテネータを備え、それによって、大きなトータルダイナミックレンジを保証する、［Ｃ１］乃至［Ｃ１０］のいずれか一項に記載のデコイ。
［Ｃ１２］
形状をもったアンテナ放射パターンが利用され、それによって、送信される前記変更されたＲＦ信号（３）を最大にする、［Ｃ１］乃至［Ｃ１１］のいずれか一項に記載のデコイ。
［Ｃ１３］
前記信号処理手段（１５）は、ミッションの前の始めから終わりまでのテストを可能にするためにＢＩＴ回路を備える、［Ｃ１］乃至［Ｃ１２］のいずれか一項に記載のデコイ。
［Ｃ１４］
前記排出可能ユニット（１）は、ノーズ質量と、プラットホームからの排出の後展開可能な、起立可能なフィン構造（９）を備え、
前記フィン構造（９）はロック機構を有し、それによって、前記脅威の位置（５、６）に関するデコイの正しい位置づけを保証する、［Ｃ１］乃至［Ｃ１３］のいずれか一項に記載のデコイ。
［Ｃ１５］
前記排出可能ユニット（１）は、ロック機構を含む３つのばね負荷されたフィン構造（３）を備える、［Ｃ１４］に記載のデコイ。
［Ｃ１６］
前記排出可能ユニット（１）は、独立の電源（８）を介して電力供給される、［Ｃ１］乃至［Ｃ１５］のいずれか一項記載のデコイ。
［Ｃ１７］
前記独立の電源は、少なくとも１つのサーマルバッテリー（８）を備える、［Ｃ１６］に記載のデコイ。
［Ｃ１８］
前記プラットホームは、固定または回転翼の航空機（２）である、［Ｃ１］乃至［Ｃ１７］のいずれか一項に記載のデコイ。
［Ｃ１９］
添付の概略図を参照して本明細書に記載されたデコイ。
【図１】
0006486915.tif 000002
【図２】
0006486915.tif 000003
【図３】
0006486915.tif 000004